(57)【要約】【課題】レーザチップ先端にＰＴＦＥコーティングが施して、該レーザチップ先端に生体組織が付着するようなことをなくし、該レーザチップ先端を利用して止血した箇所の生体組織が破れて、再出血してしまう恐れをなくす。【解決手段】レーザ光源部１０に着脱自在に接続されるベースプローブ２０と、該ベースプローブ２０に接続され、その先端部３１よりレーザ光を放出するレーザチップ３０と、該レーザチップ３０に挿着され、該レーザチップに対して所定の間隔をもって並行にかつレーザチップ３０の先端まで延長する可撓片４２を有するピンセット構成部材４０とから成る。可撓片４１は、レーザチップ３０と協働してピンセットの機能をなし、出血している箇所の生体組織をつまんで止血する。可撓片４１と協働してピンセットを構成するレーザチップ３０の先端部Ａには、ＰＴＦＥコーティングが施されており、生体組織が付着しないようになっている。【選択図】図１
2010104541.tif 000002
【特許請求の範囲】
【請求項１】
レーザ光源部に着脱自在に接続され、該レーザ光源部からのレーザ光を伝達し、先端部よりレーザ光を放射するベースプローブと、該ベースプローブに着脱自在に接続され、該ベースプローブ先端部からのレーザ光を伝達し、先端部からレーザ光を放出するレーザチップと、該レーザチップに着脱自在に挿着され、かつ、該レーザチップに対して所定の間隔をもって並行にかつレーザチップの先端まで延長する可撓片を有するピンセット構成部材とから成り、該ピンセット構成部材の前記可撓片が、前記レーザチップと協働してピンセットの機能をするレーザプローブにおいて、前記レーザチップは、先端部においてＰＴＦＥコーティングが施されていることを特徴とするレーザプローブ。
【請求項２】
前記ピンセット構成部材は、前記レーザチップを挟んでかつ前記可撓片と対向して延長する固定片を有し、該固定片を押えて前記可撓片を前記レーザチップに向けて押圧するようにしたことを特徴とする請求項１に記載のレーザプローブ。
【請求項３】
前記レーザチップは、先端閉鎖の金属筒と、該金属筒内を先端近傍まで延長した光ファイバよりなることを特徴とする請求項１又は２に記載のレーザプローブ。
【請求項４】
前記レーザチップは、先端が透光性部材で閉鎖された筒体と、該筒体内を前記透光性部材近傍まで延長した光ファイバよりなることを特徴とする請求項１又は２に記載のレーザチップ。
【発明の詳細な説明】
【技術分野】
【０００１】
本発明は、レーザプローブ、より詳細には、医療用レーザ手術装置のオプション器材としてのレーザプローブに係り、特に、レーザチップがピンセットの一方の掴み片を奏するように構成されるとともに、該レーザチップと並行して延長する可撓性の掴み片を有するピンセット構成部材を設け、該レーザチップと前記可撓性の掴み片とにより、ピンセット機能を構成し、手術中に出血等が生じた場合に、該出血箇所の生体組織を、前記ピンセット機能を利用してつまんで止血できるようにしたレーザプローブにおいて、前記ピンセットを構成する部材にＰＴＦＥ（ポリテトラフルオロエチレン）コーティングを施して、該ピンセットに生体組織が付着しないようにしたものである。
【背景技術】
【０００２】
図１（Ａ）は、本発明が適用される従来のレーザプローブの一例を説明するための要部分解構成図で、図中、１０はレーザ光発生装置、２０はベースプローブで、該ベースプローブの一端２１はレーザ光発生装置１０に着脱自在に接続されるようになっている。３０は、その一端３１が前記ベースプローブ２０の先端２２に着脱自在に接続されるレーザチップで、これらベースプローブ２０内及びレーザチップ３０内には、光ファイバが挿通されており、レーザ光発生装置１０で発生されたレーザ光は、これら光ファイバ内を通して伝達され、レーザチップ３０の先端３２より放射され、生体組織を加熱治療する。４０は、前記レーザチップ部３０と並行に延長する可撓性の掴み片４１を有するピンセット構成部材で、手術中に出血等が生じた場合に、該可撓性の掴み片４１と前記レーザチップ３０とが協働してピンセットの役割をし、これらで出血箇所を掴んで止血する。
【０００３】
図１（Ｂ）は、前記レーザチップ３０に、ピンセット構成部材４０を装着した時の要部断面構成図で、ピンセット構成部材４０は、レーザチップ３０に対して所定の間隔をもって並行に該レーザチップ４０の先端部近傍まで延長する可撓性の掴み片４１と、該可撓性の掴み片４１に対してレーザチップ３０を間に挟んで該レーザチップ部３０と並行に延長する固定の押え片４２とよりなり、これら可撓性の掴み片４１と押え片４２との間にレーザチップ３０が挿通されるようになっており、手術中に出血が生じた場合、術者は、一方の指で固定片４２を押え、他方の指で可撓片４１を押し、該可撓片４１の先端部とレーザチップ３０の先端部３２とで出血箇所の生体組織を押えて（つまんで）止血する。なお、４２’は、押え固定片４２に設けられたレーザチップ固定用の突起で、この突起４２’に設けられた孔を通してレーザチップ３０を挿通、固定するようにすれば、レーザチップ３０をより安定して固定することができる。
【発明の開示】
【発明が解決しようとする課題】
【０００４】
上述のように、従来のレーザプローブにおいては、レーザチップ３０に対してピンセット構成部材４０が着脱自在に装着可能になっており、このピンセット構成部材４０とレーザチップ３０とが協働してピンセットの機能を形成し、これによって、出血箇所の生体組織をつまんで止血するようにしている。しかし、生体組織を加熱治療するレーザプローブにおいては、レーザチップ３０の先端部が加熱されており、生体組織をつまんだ時に、生体組織がレーザチップ３０の先端加熱部に付着してしまい、レーザチップを生体組織から離す時に、せっかく止血した部分の生体組織が破れ、その部分からまた出血してしまうという問題があった。
【課題を解決するための手段】
【０００５】
本発明は、上述のごとき問題点を解決するためになされたもので、レーザ光源部に着脱自在に接続され、該レーザ光源部からのレーザ光を伝達し、先端部よりレーザ光を放射するベースプローブと、該ベースプローブに着脱自在に接続され、該ベースプローブ先端部からのレーザ光を伝達し、先端部からレーザ光を放出するレーザチップと、該レーザチップに着脱自在に挿着され、かつ、該レーザチップに対して所定の間隔をもって並行にかつレーザチップの先端まで延長する可撓片を有するピンセット構成部材とから成り、該ピンセット構成部材の前記可撓片が、前記レーザチップと協働してピンセットの機能をするレーザプローブにおいて、前記レーザチップは、先端部においてＰＴＦＥコーティングが施されていることを特徴としたものである。
【０００６】
請求項２の発明は、請求項１の発明において、前記ピンセット構成部材は、前記レーザチップを挟んでかつ前記可撓片と対向して延長する固定片を有し、該固定片を押えて前記可撓片を前記レーザチップに向けて押圧するようにしたことを特徴としたものである。
【０００７】
請求項３の発明は、請求項１又は２の発明において、前記レーザチップは、先端閉鎖の金属筒と、該金属筒内を先端近傍まで延長した光ファイバよりなることを特徴としたものである。
【０００８】
請求項４の発明は、請求項１又は２の発明において、前記レーザチップは、先端が透光性部材で閉鎖された筒体と、該筒体内を前記透光性部材近傍まで延長した光ファイバよりなることを特徴としたものである。
【発明の効果】
【０００９】
本発明によると、レーザチップ先端にＰＴＦＥコーティングが施されているので、レーザチップ先端に生体組織が付着するようなことはなく、従って、該レーザチップ先端部を利用して生体組織をつかんで、せっかく止血した箇所の生体組織が破れて、再度、出血してしまうような恐れがなく、安心して施術をすることができる。
【発明を実施するための最良の形態】
【００１０】
本発明は、上述のごとき、従来のレーザプローブにおいて、レーザチップ３０及びピンセット構成部材４０の可撓性の掴み片４１の少なくとも先端部ＡにＰＴＦＥコーティングを施しておき、これにより、レーザチップ３０の先端部と掴み片４１の先端部とで、出血箇所をつまんで止血させた場合、つままれた生体組織が、これらレーザチップやピンセット構成部材に付着するようなことはなく、再出血の心配をすることなく、止血，治療を行うことができる。
【００１１】
図２は、本発明が適用されたレーザチップの例を説明するための要部構成図で、図２（Ａ）は側面概観図、図２（Ｂ），図２（Ｃ）は、それぞれ異なる実施例を示す断面図で、図中、５０は光ファイバを示し、前述のように、レーザ光発生装置１０にベースプローブ２０を接続し、該ベースプローブ２０の先端部２２にレーザチップ３０を連結すると、レーザ光発生装置１０内で発生したレーザ光が、これら光ファイバ５０内を伝達し、その先端部５１より放出される。
【００１２】
図２（Ｂ）に示した例は、光ファイバ５０が挿通されている金属管（例えば、ＳＵＳ）の先端部３２を閉鎖しておき、この部分を光ファイバ５０を通して伝送されてきたレーザ光で加熱するようにしたものにおいて、この加熱部分である先端部にＰＴＦＥコーティングＡを施したものである。このようにしておくと、加熱したレーザチップ先端が、生体組織に触れても、生体組織がレーザチップに付着するようなことはなく、該レーザチップ３０とピンセット構成部材４０の可撓片４１で出血箇所の生体組織をつまんで止血した後、該レーザチップ及び可撓片を生体組織から離しても、生体組織が破れて、出血するような恐れがなく、術者は、安心してレーザ光治療を行うことができる。
【００１３】
図２（Ｃ）に示した例は、レーザチップ２０の先端部を透光部材（例えば、サファイア）６０で構成し、この先端部（透光部）６０にＰＴＦＥコーティングＡを施したものである。この例は、レーザチップ先端の透光部材６０よりレーザ光を被治療箇所に放射して、レーザ光治療を行うものであるが、この場合にも、透光部材６０が加熱して、この加熱した透光部材６０が生体組織に触れると、該加熱した透光部材に生体組織が付着して、生体組織が破れ、出血する恐れがあるが、この透光部材６０の表面にＰＴＦＥコーティングを施しておくことにより、生体組織の付着を防止することができる。
【００１４】
なお、図２に示した実施例においては、ピンセット構成部材４０を省略してあるが、図１に関して説明したように、これらレーザチップ３０には、ピンセット構成部材４０が装着され、該ピンセット構成部材４０の可撓片４１とレーザチップ３０とで、生体組織をつまんで止血することができ、その場合における可撓片４１の先端部にも、ＰＴＦＥコーティングが施してあり、これにより、止血箇所の生体組織をつまんで止血した後、ピンセットを生体組織から離しても、生体組織がピンセット部に付着するようなことはなく、従って、生体組織からの出血を止めた後、ピンセットを生体組織から離しても、再度、出血するような恐れはない。
【図面の簡単な説明】
【００１５】
【図１】従来のレーザプローブ及び本発明によるレーザプローブの例を説明するための要部分解図である。
【図２】本発明が適用されたレーザチップの例を説明するための側面図（図２（Ａ））、及び、異なる実施例を説明するための断面図（図２（Ｂ）、図２（Ｃ））である。
【符号の説明】
【００１６】
１０…レーザ光発生装置、２０…ベースプローブ、３０…レーザチップ、４０…ピンセット構成部材、４１…可撓性のピンセット構成片、５０…光ファイバ、６０…透光部材、Ａ…ＰＴＦＥコーティング部。
【図１】
2010104541.tif 000003
【図２】
2010104541.tif 000004